(57)【特許請求の範囲】
【請求項１】
開口部を有する筐体と、
上記筐体内に収容されるとともに、上記開口部を通じて上記筐体の外部に露出され、ＵＳＢケーブルのプラグが差込可能なコネクタと、を備えた電子機器であって、
上記コネクタは、
ｅＳＡＴＡケーブルのプラグの外形よりも大きく形成された合成樹脂製のハウジングと、
上記ハウジング内に設けられた端子部と、を具備し、上記ｅＳＡＴＡケーブルおよび上記ＵＳＢケーブルの両方が択一的に接続可能であり、
上記ハウジングは、上記端子部を外部に露出させる差込口部と、当該ハウジングにおいて上記差込口部とは反対側の端部に位置する奥部と、上記差込口部と上記奥部との間に設けられ、このコネクタに上記ＵＳＢケーブルのプラグが差し込まれたときにそのＵＳＢケーブルのプラグに側方から対向する側部とを備え、
上記側部は、上記差込口部に連なるとともに上記奥部から上記差込口部に向かう方向に進むに従い上記ＵＳＢケーブルのプラグから離れるように傾斜し、上記ＵＳＢケーブルのプラグとの間に隙間を形成するテーパ部を有することを特徴とする電子機器。
【請求項２】
請求項１に記載の電子機器において、
上記テーパ部は、上記差込口部から上記奥部へ向かう方向に沿って上記側部の半分以上の長さに亘って形成されていることを特徴とする電子機器。
【請求項３】
請求項１に記載の電子機器において、
上記ハウジングの側部は、上記ＵＳＢケーブルのプラグが上記コネクタに差し込まれたときに上記ＵＳＢケーブルのプラグに側方から対向する第１の領域と、上記ｅＳＡＴＡケーブルのプラグが上記コネクタに差し込まれたときに上記ｅＳＡＴＡケーブルのプラグに側方から対向する第２の領域とを含み、
上記テーパ部は、上記第１の領域に形成されていることを特徴とする電子機器。
【請求項４】
請求項３に記載の電子機器において、
上記第１および第２の領域は、互いに一部が重複しており、
上記テーパ部は、上記第１の領域のなかで上記第２の領域を外れた部位に形成されていることを特徴とする電子機器。
【請求項５】
請求項１に記載の電子機器において、
上記テーパ部は、上記ｅＳＡＴＡケーブルのプラグが上記コネクタに差し込まれたときに上記ｅＳＡＴＡケーブルのプラグの側方を外れる領域に形成されていることを特徴とする電子機器。
【請求項６】
ＵＳＢケーブルのプラグが差込可能なコネクタであって、
ｅＳＡＴＡケーブルのプラグの外形よりも大きく形成された合成樹脂製のハウジングと、
上記ハウジング内に設けられた端子部と、を具備し、上記ｅＳＡＴＡケーブルおよび上記ＵＳＢケーブルの両方が択一的に接続可能であり、
上記ハウジングは、上記端子部を外部に露出させる差込口部と、当該ハウジングにおいて上記差込口部とは反対側の端部に位置する奥部と、上記差込口部と上記奥部との間に設けられ、このコネクタに上記ＵＳＢケーブルのプラグが差し込まれたときにそのＵＳＢケーブルのプラグに側方から対向する側部とを備え、
上記側部は、上記差込口部に連なるとともに上記奥部から上記差込口部に向かう方向に進むに従い上記ＵＳＢケーブルのプラグから離れるように傾斜し、上記ＵＳＢケーブルのプラグとの間に隙間を形成するテーパ部を有することを特徴とするコネクタ。
【発明の詳細な説明】
【技術分野】
【０００１】
本発明は、ＵＳＢケーブルが接続可能なコネクタ、およびそのコネクタを備えた電子機器に関する。
【背景技術】
【０００２】
ポータブルコンピュータのような電子機器は、ＵＳＢ(Universal Serial Bus)ケーブルが接続可能なＵＳＢコネクタを搭載している。このＵＳＢコネクタは、一般に、金属製のハウジング（いわゆるシェル）と、このハウジング内に設けられた端子部とを有する。一方、ＵＳＢケーブルの先端には、ＵＳＢコネクタのハウジング内に差込可能なプラグ（すなわち端子部）が設けられている。
【０００３】
特許文献１は、メモリカードが傾いて押し込まれることを防止するメモリカード用ソケットを開示している。このメモリカード用ソケットは、ベースシェルの開口端に入口案内テーパを有する。なおこのメモリカード用ソケットは、前記入口案内テーパを覆うストッパを備える。
【特許文献１】特開２００５−３５３５１７号公報
【発明の開示】
【発明が解決しようとする課題】
【０００４】
コネクタのハウジングが金属製の場合、そのコネクタに接続されているＵＳＢケーブルをユーザーが横方向に引っ張っても、ＵＳＢケーブルのプラグが破損し、コネクタの端子部は破損を免れることが多い。
【０００５】
しかしながら、コネクタのハウジングが合成樹脂製の場合、そのコネクタに接続されているＵＳＢケーブルをユーザーが横方向に引っ張ると、ハウジングが変形してコネクタの端子部に大きな負荷が掛かり、コネクタの端子部が破損に至ることがある。
【０００６】
本発明の目的は、コネクタの端子部の破損防止を図ることができるコネクタおよび電子機器を得ることにある。
【課題を解決するための手段】
【０００７】
本発明の一つの形態に係る電子機器は、開口部を有する筐体と、上記筐体内に収容されるとともに、上記開口部を通じて上記筐体の外部に露出され、ＵＳＢケーブルのプラグが差込可能なコネクタとを備える。上記コネクタは、ｅＳＡＴＡケーブルのプラグの外形よりも大きく形成された合成樹脂製のハウジングと、上記ハウジング内に設けられた端子部とを具備し、上記ｅＳＡＴＡケーブルおよび上記ＵＳＢケーブルの両方が択一的に接続可能である。上記ハウジングは、上記端子部を外部に露出させる差込口部と、当該ハウジングにおいて上記差込口部とは反対側の端部に位置する奥部と、上記差込口部と上記奥部との間に設けられ、このコネクタに上記ＵＳＢケーブルのプラグが差し込まれたときにそのＵＳＢケーブルのプラグに側方から対向する側部とを備える。上記側部は、上記差込口部に連なるとともに上記奥部から上記差込口部に向かう方向に進むに従い上記ＵＳＢケーブルのプラグから離れるように傾斜し、上記ＵＳＢケーブルのプラグとの間に隙間を形成するテーパ部を有する。
【０００８】
本発明の一つの形態に係るコネクタは、ＵＳＢケーブルのプラグが差込可能なコネクタであって、ｅＳＡＴＡケーブルのプラグの外形よりも大きく形成された合成樹脂製のハウジングと、上記ハウジング内に設けられた端子部とを具備し、上記ｅＳＡＴＡケーブルおよび上記ＵＳＢケーブルの両方が択一的に接続可能である。上記ハウジングは、上記端子部を外部に露出させる差込口部と、当該ハウジングにおいて上記差込口部とは反対側の端部に位置する奥部と、上記差込口部と上記奥部との間に設けられ、このコネクタに上記ＵＳＢケーブルのプラグが差し込まれたときにそのＵＳＢケーブルのプラグに側方から対向する側部とを備える。上記側部は、上記差込口部に連なるとともに上記奥部から上記差込口部に向かう方向に進むに従い上記ＵＳＢケーブルのプラグから離れるように傾斜し、上記ＵＳＢケーブルのプラグとの間に隙間を形成するテーパ部を有する。
【発明の効果】
【０００９】
本発明によれば、コネクタの端子部の破損防止を図ることができる。
【発明を実施するための最良の形態】
【００１０】
以下に本発明の実施の形態を、ポータブルコンピュータに適用した図面に基づいて説明する。図１ないし図９は、本発明の一つの実施形態に係る電子機器としてのポータブルコンピュータ１を開示している。図１に示すように、ポータブルコンピュータ１は、機器本体２と、表示部３とを備えている。
【００１１】
図１に示すように、機器本体２は、筐体４を備える。筐体４は、扁平箱状に形成され、上壁４ａ、周壁４ｂ、および下壁４ｃを有する。上壁４ａは、キーボード５を支持している。筐体４内には、マザーボードである回路基板などが収容されている。
【００１２】
表示部３は、ディスプレイハウジング６と、このディスプレイハウジング６に収容された表示装置７とを備える。表示装置７の一例は、液晶ディスプレイである。表示装置７は、表示画面７ａを有する。この表示画面７ａは、ディスプレイハウジング６の前壁に設けられた開口部６ａを通じて外部に露出されている。
【００１３】
図１に示すように、機器本体２の後端部には、ヒンジ部８が設けられている。ヒンジ部８は、表示部３を機器本体２に回動可能に連結している。これにより表示部３は、機器本体２の上壁４ａを上方から覆うように倒される第１の姿勢と、上壁４ａに対して立て起こされる第２の姿勢との間で回動可能である。
【００１４】
図２および図３に示すように、機器本体２には、コネクタ１１が搭載されている。このコネクタ１１は、本発明でいうコネクタの一例である。なお本発明でいうコネクタは、いわゆるソケットとしてのコネクタであり、ケーブルのプラグ（すなわちケーブルの端子部）を受けるものを指す。
【００１５】
図２および図３に示すように、コネクタ１１は、例えば前述の回路基板に実装され、筐体４内に収容されている。筐体４の周壁４ｂは、上記コネクタ１１に向かい合う開口部１２を有する。コネクタ１１は、この開口部１２を通じて筐体４の外部に露出され、ＵＳＢケーブル１４のプラグ１５が外部から差込可能（すなわちＵＳＢケーブル１４が接続可能）になっている。
【００１６】
次に、本実施形態に係るコネクタ１１について詳しく説明する。  
図２に示すように、本実施形態に係るコネクタ１１は、ＵＳＢケーブル１４およびｅＳＡＴＡ(External Serial ATA)ケーブルの両方が択一的に接続可能な、ｅＳＡＴＡとＵＳＢのコンボコネクタである。
【００１７】
図４に示すように、本実施形態に係るコネクタ１１は、ハウジング２１と、このハウジング２１内に設けられた端子部２２とを備える。ハウジング２１は合成樹脂製である。図７に示すように、ハウジング２１は、差込口部２３、奥部２４、および一対の側部である第１および第２の側部２５，２６を備え、一方が開放されたＵ字形状の水平断面を有する。
【００１８】
図７に示すように、差込口部２３は、ハウジング２１の一方の端部（例えば前端部）に設けられ、ハウジング２１の外部に開口している。これにより差込口部２３は、端子部２２をハウジング２１の外部に露出させる。奥部２４は、ハウジング２１において差込口部２３とは反対側の端部（例えば後端部）に位置している。奥部２４は、第１および第２の側部２５，２６の後端部同士の間を繋いでおり、ハウジング２１の底部を形成している。
【００１９】
第１および第２の側部２５，２６は、それぞれ差込口部２３と奥部２４との間に設けられている。また第１および第２の側部２５，２６は、互いの間に端子部２２を挟むように、端子部２２の両側方に分かれて延びている。
【００２０】
側部２５，２６は、ＵＳＢケーブル１４のプラグ１５、またはｅＳＡＴＡケーブル１７のプラグ１８を差込口部２３から奥部２４へ向けて案内する案内部であるとともに、コネクタ１１に差し込まれたプラグ１５，１８を支持する支持部である。なおＵＳＢケーブル１４のプラグ１５（いわゆるＵＳＢプラグ１５）は、例えば金属製のシェルを有する。またｅＳＡＴＡケーブル１７のプラグ１８（いわゆるｅＳＡＴＡプラグ１８）は、例えば合成樹脂製のシェルを有する。
【００２１】
図５，図６，および図８に示すように、第１および第２の側部２５，２６はそれぞれ、ＵＳＢケーブル１４のプラグ１５がコネクタ１１に差し込まれたときにそのプラグ１５に側方から対向する。また第１および第２の側部２５，２６はそれぞれ、ｅＳＡＴＡケーブル１７のプラグ１８がコネクタ１１に差し込まれたときにそのプラグ１５に側方から対向する。
【００２２】
ここで、ｅＳＡＴＡケーブル１７のプラグ１８の横幅Ｗ２（図６参照）は、ＵＳＢケーブル１４のプラグ１５の横幅Ｗ１（図５参照）に比べて大きい。そのためｅＳＡＴＡとＵＳＢのコンボコネクタである本コネクタ１１は、ＵＳＢプラグ１５の外形に合った金属製のシェルを設けることなく、合成樹脂製のハウジング２１によって対応している。つまりハウジング２１は、ｅＳＡＴＡケーブル１７のプラグ１８の外形よりも大きく形成され、ｅＳＡＴＡケーブル１７のプラグ１８が差込可能になっている。
【００２３】
図４および図７に示すように、コネクタ１１の端子部２２は、モールド部２７と、複数の第１の端子２８と、複数の第２の端子２９とを有する。モールド部２７は、例えば扁平状に形成されているとともに、ハウジング２１内において奥部２４から差込口部２３の近傍まで延びている。モールド部２７は、合成樹脂製であり、例えばハウジング２１と一体に形成されている。
【００２４】
第１の端子２８は、例えばＵＳＢケーブル１４のプラグ１５の端子３１（図８参照）に接続される端子であり、例えば４つ設けられている。図４に示すように、第１の端子２８は、モールド部２７の一方の面（例えば上面）に設けられている。一方、第２の端子２９は、例えばｅＳＡＴＡケーブル１７のプラグ１８の端子（図示しない）に接続される端子であり、例えば７つ設けられている。第２の端子２９は、第１の端子２８が設けられた面とは反対側となるモールド部２７の面（例えば下面）に設けられている。
【００２５】
図４および図７に示すように、コネクタ１１は、金属製のシェル部材３４をさらに備える。このシェル部材３４は、ハウジング２１に対して取り付けられ、例えばハウジング２１の上面、および左右の側面を覆っている。
【００２６】
次に、本実施形態に係るテーパ部３７について説明する。
【００２７】
図７に示すように、第１および第２の側部２５，２６は、それぞれテーパ部３７を有する。テーパ部３７は、第１および第２の側部２５，２６のなかで差込口部２３寄りの領域に設けられ、差込口部２３に連なっている。図８に示すように、テーパ部３７は、ハウジング２１の奥部２４から差込口部２３に向かう方向に進むに従い、コネクタ１１に差し込まれたＵＳＢケーブル１４のプラグ１５から離れるように傾斜している。
【００２８】
すなわちテーパ部３７は、奥部２４から差込口部２３に向かう方向に進むに従い、第１および第２の側部２５，２６の間の間隔が広がるように傾斜している。ＵＳＢケーブル１４のプラグ１５がコネクタ１１に差し込まれたとき、第１および第２の側部２５，２６のテーパ部３７は、それぞれプラグ１５との間に隙間Ｓ（すなわち遊び）を形成する。
【００２９】
図７に示すように、第１および第２の側部２５，２６のテーパ部３７は、それぞれ差込口部２３から奥部２４へ向かう方向に沿って側部２５，２６の半分以上の長さに亘って形成されている。すなわち、差込口部２３から奥部２４へ向かう方向の側部２５，２６の長さ（すなわち差込口部２３と奥部２４との間の距離）をＬとする場合、第１および第２の側部２５，２６のテーパ部３７は、差込口部２３からＬ／２以上の長さに亘って形成されている。その一例として本実施形態に係るテーパ部３７は、側部２５，２６の半分の長さ（すなわちＬ／２）だけ形成されている。
【００３０】
図４に示すように、ハウジング２１の第１および第２の側部２５，２６は、それぞれ、第１および第２の案内部４１，４２を含む。図５および図８に示すように、第１の案内部４１は、ＵＳＢケーブル１４のプラグ１５を差込口部２３から奥部２４へ向けて案内する案内部である。第１の側部２５の第１の案内部４１と第２の側部２６の第１の案内部４１との間の間隔は、ＵＳＢケーブル１４のプラグ１５の横幅Ｗ１に合うように設定されている。
【００３１】
一方、図６に示すように、第２の案内部４２は、ｅＳＡＴＡケーブル１７のプラグ１８を差込口部２３から奥部２４へ向けて案内する案内部である。第２の案内部４２は、ｅＳＡＴＡケーブル１７のプラグ１８の外形形状に合うように形成されている。
【００３２】
すなわち第２の案内部４２は、第１ないし第３の部分４２ａ，４２ｂ，４２ｃを含む。第１の部分４２ａは、第１の案内部４１に隣接するとともに、横幅Ｗ３を有するプラグ１８の第１の部分１８ａを案内する。第２の部分４２ｂは、最大幅Ｗ２を有するプラグの第２の部分１８ｂを案内する。第３の部分４２ｃは、横幅Ｗ４を有するプラグ１８の第３の部分１８ｃを案内する。
【００３３】
第１の側部２５の第２の案内部４２と第２の側部２６の第２の案内部４２との間の間隔は、ｅＳＡＴＡケーブル１７のプラグ１８の横幅に合うように設定されている。すなわち第１の案内部４１よりも第２の案内部４２は、ハウジング２１の周縁部近くに位置している。
【００３４】
またハウジング２１の第１および第２の側部２５，２６は、それぞれ第１および第２の領域４３，４４を含む。図５に示すように、第１の領域４３は、ＵＳＢケーブル１４のプラグ１５がコネクタ１１に差し込まれたときに、ＵＳＢケーブル１４のプラグ１５に側方から対向する領域である。図６に示すように、第２の領域４４は、ｅＳＡＴＡケーブル１７のプラグ１８がコネクタ１１に差し込まれたときに、ｅＳＡＴＡケーブル１７のプラグ１８に側方から対向する領域である。
【００３５】
図４に示すように、第１の領域４３は、第１の案内部４１と、第２の案内部４２の大部分を含む。第２の領域４４は、第２の案内部４２を含む。すなわち、第１および第２の領域４３，４４は、互いに一部が重複している。
【００３６】
第１および第２の側部２５，２６のテーパ部３７は、第１の領域４３に形成されている。詳しく述べると、第１および第２の側部２５，２６のテーパ部３７は、第１の領域４３のなかで第２の領域４４を外れた部位（すなわち第１の案内部４１）に形成されている。つまり第１および第２の側部２５，２６のテーパ部３７は、ｅＳＡＴＡケーブル１７のプラグ１８がコネクタ１１に差し込まれたときに、ｅＳＡＴＡケーブル１７のプラグ１８の側方を外れる領域に形成されている。テーパ部３７は、第１の案内部４１の全高に亘って形成されている。
【００３７】
図４に示すように、第１の案内部４１と第２の案内部４２との間には、ＵＳＢケーブル１４のプラグ１５の横幅Ｗ１とｅＳＡＴＡケーブル１７のプラグ１８の横幅Ｗ３の違いから生じる段差部４５が存在する。テーパ部３７は、この段差部４５に形成されている。すなわち本実施形態に係るテーパ部３７のテーパ量（すなわちテーパ部３７の両端の間の横方向位置変化量）は、段差部４５の横幅と同じに設定されている。
【００３８】
次に、本実施形態に係るコネクタ１１の作用について説明する。  
図９は、ＵＳＢケーブル１４のプラグ１５がコネクタ１１に差し込まれた状態で、ＵＳＢケーブル１４に対して横方向の力Ｆが作用した様子を示す。図９に示すように、横方向の力Ｆが掛かったＵＳＢケーブル１４のプラグ１５は、テーパ部３７によって形成された隙間Ｓに従って正規の姿勢から傾き、コネクタ１１から抜けやすい状態になる。そしてＵＳＢケーブル１４に掛かる横方向の力Ｆが一定の大きさを超えると、プラグ１５がコネクタ１１から自然と抜ける。
【００３９】
一方で、ｅＳＡＴＡケーブル１７のプラグ１８は、合成樹脂製のシェルを有し、金属に比べて可撓性が大きい。そのため、ｅＳＡＴＡケーブル１７に横方向の力Ｆを作用させてもコネクタ１１の端子部２２はほとんど破損に至らない。
【００４０】
このような構成のコネクタ１１によれば、コネクタ１１の端子部２２の破損防止を図ることができる。図１０は、コネクタ１１の荷重試験の一例を示す。コネクタ１１に対する荷重試験では、例えばコネクタ１１にプラグ１５を差し込んだＵＳＢケーブル１４に横方向の力Ｆを加えてコネクタ１１の状況を調べる。
【００４１】
本発明者は、テーパ部３７を有しないコネクタ（すなわち側部２５，２６がストレートに形成されているコネクタ）に対して上記荷重試験を行った。すると、横方向の力Ｆが３０Ｎを超えてもＵＳＢケーブル１４のプラグ１５はコネクタ１１から抜けず、合成樹脂製のハウジング２１が比較的大きく変形することが確認された。そして横方向の力Ｆが約４０Ｎを超えると、端子部２２が限界を迎え、端子部２２のモールド部２７が破損に至ることが確認された。
【００４２】
一方、本実施形態のように、プラグ１５との間に隙間Ｓ（すなわち遊び、またはガタ）を形成するテーパ部３７が設けられていると、横方向の力Ｆが加わったＵＳＢケーブル１４のプラグ１５は、正規の姿勢から傾き、コネクタ１１から抜けやすい状態になる。そしてＵＳＢケーブル１４に掛かる横方向の力Ｆが端子部２２を破損させる大きさ（すなわち閾値）に達する前に、プラグ１５がコネクタ１１から自然と抜ける。これにより、コネクタ１１に差し込まれているＵＳＢケーブル１４をユーザーが横方向に過度に引っ張ったとしても、コネクタ１１の端子部２２の破損を防止することができる。
【００４３】
本発明者は、テーパ部３７が設けられたコネクタ１１に対して上記荷重試験を行った。その結果、ＵＳＢケーブル１４に掛かる横方向の力Ｆがある程度の大きさ（例えば３０Ｎ）になると、プラグ１５がコネクタ１１から自然と抜けることが確認された。
【００４４】
テーパ部３７が、差込口部２３から奥部２４へ向かう方向に沿って側部２５，２６の半分以上の長さに亘って形成されていると、ＵＳＢケーブル１４に横方向の力Ｆの力が加わったときにプラグ１５がコネクタ１１から抜けやすい。そのため、コネクタ１１の端子部２２の破損をさらに防止しやすくなる。またテーパ部３７が、差込口部２３から奥部２４へ向かう方向に沿って側部２５，２６の半分の長さだけ形成されていると、コネクタ１１に対するＵＳＢプラグ１５のガタがあまり大きくなく、端子部２２の破損防止を図るとともに、使い勝手の良いコネクタ１１が得られる。
【００４５】
ｅＳＡＴＡケーブル１７およびＵＳＢケーブル１４の両方が択一的に接続可能なコネクタ１１は、ハウジング２１がｅＳＡＴＡケーブル１７のプラグ１８の外形よりも大きく形成される必要がある。そのため、ＵＳＢケーブル１４のプラグ１５の外形に合わせて金属製のシェルを設けることは困難である。しかしながらこのようなｅＳＡＴＡとＵＳＢのコンボコネクタにおいてもテーパ部３７を設けることで、コネクタ１１の端子部２２の破損を防止することができる。
【００４６】
ハウジング２１の側部２５，２６が、ＵＳＢケーブル１４のプラグ１５に側方から対向する第１の領域４３と、ｅＳＡＴＡケーブル１７のプラグ１８に側方から対向する第２の領域４４とを含み、テーパ部３７が第１の領域４３に形成されていると、必要な部位にだけテーパ部３７が設けられているということであり、全体として小型化を図りやすいコネクタ１１が提供される。
【００４７】
第１および第２の領域４３，４４が互いに一部が重複しており、テーパ部３７が第１の領域４３のなかで第２の領域４４を外れた部位に形成されていると、ＵＳＢケーブル１４のプラグ１５の横幅Ｗ１とｅＳＡＴＡケーブル１７のプラグ１８の横幅Ｗ３の違いから生じる段差部４５を利用してテーパ部３７を形成することができる。つまりｅＳＡＴＡとＵＳＢのコンボコネクタのなかで有効活用が困難な領域を活用してテーパ部３７が形成されている。これは、コネクタ１１の小型化に寄与する。
【００４８】
テーパ部３７がｅＳＡＴＡケーブル１７のプラグ１８の側方を外れる領域に形成されていると、ＵＳＢケーブル１４のプラグ１５の横幅Ｗ１とｅＳＡＴＡケーブル１７のプラグ１８の横幅Ｗ３の違いから生じる段差部４５を利用して、テーパ部３７を形成することができる。つまりコネクタ１１の小型化を図ることができる。
【００４９】
以上、本発明の一つの実施形態に係るポータブルコンピュータ１およびコネクタ１１について説明したが、本発明はこれに限定されるものではない。本発明は、実施段階ではその要旨を逸脱しない範囲で構成要素を変形して具体化できる。
【００５０】
上記実施形態ではｅＳＡＴＡとＵＳＢのコンボコネクタを取り上げたが、本発明が適用可能なコネクタはこれに限定されるものではない。本発明は、合成樹脂製のハウジングを有するＵＳＢケーブル専用のコネクタに適用してもよい。
【図面の簡単な説明】
【００５１】
【図１】本発明の実施形態に係るポータブルコンピュータの斜視図。
【図２】本発明の実施形態に係るポータブルコンピュータの斜視図。
【図３】図２中で示されたポータブルコンピュータのＦ３線で囲まれた領域を拡大して示す斜視図。
【図４】本発明の実施形態に係るコネクタの正面図。
【図５】本発明の実施形態に係るコネクタの正面図。
【図６】本発明の実施形態に係るコネクタの正面図。
【図７】図４中に示されたコネクタのＦ７−Ｆ７線に沿う断面図。
【図８】図７中に示されたコネクタのＵＳＢケーブルが接続された正規の状態を示す断面図。
【図９】図７中に示されたコネクタのＵＳＢケーブルに横方向の力が掛かった状態を示す断面図。
【図１０】コネクタの荷重試験を模式的に示す斜視図。
【符号の説明】
【００５２】
Ｓ…隙間、１…ポータブルコンピュータ、４…筐体、１１…コネクタ、１２…開口部、１４…ＵＳＢケーブル、１５…プラグ（ＵＳＢプラグ）、１７…ＳＡＴＡケーブル、１８…プラグ（ｅＳＡＴＡプラグ）、２１…ハウジング、２２…端子部、２３…差込口部、２４…奥部、２５，２６…側部、３７…テーパ部、４１…第１の案内部、４２…第２の案内部、４３…第１の領域、４４…第２の領域。
【要約】
【課題】コネクタの端子部の破損防止を図ることができる電子機器を得る。
【解決手段】電子機器１は、ＵＳＢケーブル１４のプラグ１５が差込可能なコネクタ１１を備える。コネクタ１１は、合成樹脂製のハウジング２１と、ハウジング２１内に設けられた端子部２２とを具備する。ハウジング２１は、端子部２２を外部に露出させる差込口部２３と、ハウジング２１において差込口部２３とは反対側の端部に位置する奥部２４と、差込口部２３と奥部２４との間に設けられ、このコネクタ１１にＵＳＢケーブル１４のプラグ１５が差し込まれたときにそのプラグ１５に側方から対向する側部２５とを備える。側部２５は、差込口部２３に連なるとともに奥部２４から差込口部２３に向かう方向に進むに従いプラグ１５から離れるように傾斜し、プラグ１５との間に隙間Ｓを形成するテーパ部３７を有する。
【選択図】      図８【図１】
0004334600.tif 000002
【図２】
0004334600.tif 000003
【図３】
0004334600.tif 000004
【図４】
0004334600.tif 000005
【図５】
0004334600.tif 000006
【図６】
0004334600.tif 000007
【図７】
0004334600.tif 000008
【図８】
0004334600.tif 000009
【図９】
0004334600.tif 000010
【図１０】
0004334600.tif 000011